(57)【特許請求の範囲】
【請求項１】
複数のデータドライバーと、
前記複数のデータドライバーにデータを伝送するデータ伝送部を含むタイミングコントローラーと、を含み、
前記データ伝送部は、前記複数のデータドライバーのそれぞれと前記データ伝送部との間の距離差異に基づいて、前記距離差異によって発生されることができる前記データに相応する電気的信号の歪曲及び／又は電力消耗を減少させることができるように前記電気的信号を制御して、前記制御された電気的信号を伝送し、
前記データ伝送部は、前記距離差異に基づいて前記電気的信号に対してプリエンファシスを行い、
前記制御された電気的信号のピーク−ピーク電圧（ＶＰＰ、Ｐｅａｋ−Ｐｅａｋ  Ｖｏｌｔａｇｅ）は、前記距離差異が増加するに従って増加し、
前記タイミングコントローラーは、
前記データと前記データに相応するドライバーアドレスを伝送するタイミングコントロール部を含み、
前記データ伝送部は、前記ドライバーアドレスに基づいて前記距離差異を認識することを特徴とするディスプレイ駆動装置。
【請求項２】
前記データ伝送部は、
前記電気的信号を前記複数のデータドライバーのそれぞれに順次に伝送することを特徴とする請求項１記載のディスプレイ駆動装置。
【請求項３】
前記データ伝送部は、
前記電気的信号を前記複数のデータドライバーの少なくとも一部に同時に伝送することを特徴とする請求項１記載のディスプレイ駆動装置。
【請求項４】
前記複数のデータドライバーのそれぞれは、
前記距離差異に基づいて予め設定される等化係数を利用して前記伝送された電気的信号に対して等化を行う等化部を含むことを特徴とする請求項１記載のディスプレイ駆動装置。
【発明の詳細な説明】
【技術分野】
【０００１】
本発明はディスプレイ装置に関し、特に、信号の歪曲を減少させることができるディスプレイ駆動装置及びこれを含むディスプレイ装置に関する。
【背景技術】
【０００２】
平面表示装置はディスプレイ装置のうちの１つであって、ＣＲＴ装置と対比され、ＬＣＤ装置、ＯＬＥＤ装置、及びＰＤＰ装置を含むことができる。
【０００３】
ディスプレイ装置は、一般的にタイミングコントローラー、データドライバー（又は、ソースドライバー）、スキャンドライバー（又は、ゲートドライバー）、及びディスプレイパネルを含む。
【０００４】
ディスプレイパネルが増加するに従い、ディスプレイ装置は、複数個のデータドライバーを利用してイメージをディスプレイする。即ち、タイミングコントローラーは、複数個のデータドライバーのそれぞれにデータを伝送し、データドライバーのそれぞれは、伝送されたデータをディスプレイパネルに出力する。
【０００５】
タイミングコントローラーとデータドライバーのそれぞれ間の距離差異によって、タイミングコントローラーによって伝送された電気的信号は歪曲が増加するか、電力消耗が増加されることができる。
【０００６】
即ち、仮に、タイミングコントローラーが最も近いデータドライバーを基準として電気的信号を伝送する場合には、タイミングコントローラーから最も遠いデータドライバーには電気的信号の歪曲が増加されることができる。又、仮に、タイミングコントローラーが最も遠いデータドライバーを基準としてデータを伝送する場合には、電力消耗が増加されることができる。
【発明の開示】
【発明が解決しようとする課題】
【０００７】
本発明の目的は、前記従来技術の問題点を解決するために、信号の歪曲及び／又は電力消耗を減少させることができるディスプレイ駆動装置を提供することにある。
【０００８】
本発明の他の目的は、前記ディスプレイ駆動装置を含むディスプレイ装置を提供することにある。
【課題を解決するための手段】
【０００９】
実施例のうち、ディスプレイ駆動装置は、複数のデータドライバー、及び前記複数のデータドライバーにデータを伝送するデータ伝送部を含むタイミングコントローラーを含み、前記データ伝送部は、前記複数のデータドライバーのそれぞれと前記データ伝送部との間の距離差異に基づいて、前記距離差異によって発生されることができる前記データに相応する電気的信号の歪曲及び／又は電力消耗を減少させることができるように前記電気的信号を制御して、前記制御された電気的信号を伝送する。
【００１０】
前記データ伝送部は、前記距離差異に基づいて前記電気的信号に対してプリエンファシスを行うことができる。前記制御された電気的信号のピーク−ピーク電圧（ＶＰＰ、Ｐｅａｋ−Ｐｅａｋ  Ｖｏｌｔａｇｅ）は、前記距離差異が増加するに従って増加することができる。
【００１１】
一実施例によって、前記データ伝送部は、前記電気的信号を前記複数のデータドライバーのそれぞれに順次に伝送することができ、他の一実施例によって、前記データ伝送部は、前記電気的信号を前記複数のデータドライバーの少なくとも一部に同時に伝送することができる。
【００１２】
前記タイミングコントローラーは、前記データと前記データに相応するドライバーアドレスを伝送するタイミングコントロール部を含むことができ、前記データ伝送部は、前記ドライバーアドレスに基づいて前記距離差異を認識することができる。
【００１３】
前記データ伝送部は、前記複数のデータドライバーのそれぞれに相応して前記距離差異が予め設定された複数のプリエンファシス部を含み、前記タイミングコントローラーは、前記データを前記複数のプリエンファシス部のそれぞれに伝送するタイミングコントロール部を含むことができる。
【００１４】
前記複数のデータドライバーのそれぞれは、前記距離差異に基づいて予め設定される等化係数を利用して前記伝送された電気的信号に対して等化を行う等化部を含むことができる。
【００１５】
実施例のうち、ディスプレイ駆動装置は、タイミングコントローラー及び複数のデータドライバーを含み、前記複数のデータドライバーのそれぞれは、前記タイミングコントローラーからの距離差異に基づいて予め設定される等化係数を利用して前記タイミングコントローラーから伝送される電気的信号に対して等化を行う等化部を含む。
【００１６】
前記タイミングコントローラーは、前記複数のデータドライバーのそれぞれと前記データ伝送部との間の距離差異に基づいて、前記距離差異によって発生されることができる前記データに相応する電気的信号の歪曲及び／又は電力消耗を減少させることができるように前記電気的信号を制御して、前記制御された電気的信号を伝送することができる。
【００１７】
前記データ伝送部は、前記距離差異に基づいて前記電気的信号に対してプリエンファシスを行うことができる。
【００１８】
実施例のうち、ディスプレイ装置は、複数のデータドライバー、  前記複数のデータドライバーにデータを伝送するデータ伝送部を含むタイミングコントローラー、及び前記タイミングコントローラーからスキャンデータの入力を受けるスキャンドライバーを含み、前記データ伝送部は、前記複数のデータドライバーのそれぞれと前記データ伝送部との間の距離差異に基づいて、前記距離差異によって発生されることができる前記データに相応する電気的信号の歪曲及び／又は電力消耗を減少させることができるように前記電気的信号を制御して、前記制御された電気的信号を伝送する。例えば、前記ディスプレイ装置は、ＬＣＤ装置、ＯＬＥＤ装置、又はＰＤＰ装置を含むことができる。
【００１９】
前記データ伝送部は、前記距離差異に基づいて前記電気的信号に対してプリエンファシスを行うことができる。前記複数のデータドライバーのそれぞれは、前記距離差異に基づいて予め設定される等化係数を利用して前記伝送された電気的信号に対して等化を行う等化部を含むことができる。
【００２０】
実施例のうち、ディスプレイ装置は、タイミングコントローラー、複数のデータドライバー、及び前記タイミングコントローラーからスキャンデータの入力を受けるスキャンドライバーを含み、前記複数のデータドライバーのそれぞれは、前記タイミングコントローラーからの距離差異に基づいて予め設定される等化係数を利用して前記タイミングコントローラーから伝送される電気的信号に対して等化を行う等化部を含む。例えば、前記ディスプレイ装置は、ＬＣＤ装置、ＯＬＥＤ装置、又はＰＤＰ装置を含むことができる。
【００２１】
前記タイミングコントローラーは、前記複数のデータドライバーのそれぞれと前記データ伝送部との間の距離差異に基づいて、前記距離差異によって発生されることができる前記データに相応する電気的信号の歪曲及び／又は電力消耗を減少させることができるように前記電気的信号を制御して、前記制御された電気的信号を伝送することができる。
【００２２】
前記データ伝送部は、前記距離差異に基づいて前記電気的信号に対してプリエンファシスを行うことができる。
【発明の効果】
【００２３】
本発明の一実施例は、タイミングコントローラーがデータドライバーのそれぞれにデータを伝送する時、タイミングコントローラーとデータドライバーのそれぞれ間の距離差異によって発生されることができる信号の歪曲及び／又は電力消耗を減少させることができる。
【発明を実施するための最良の形態】
【００２４】
本文に開示している本発明の実施例において、特定の構造的乃至機能的説明は、ただ本発明の実施例を説明するための目的として例示されたものであって、本発明の実施例は、多様な形態で実施することができ、本文に説明した実施例に限定されることはない。
【００２５】
本発明は、多様な変更を加えることができ、多様な形態を有することができ、特定の実施例を図面に例示し、本文で詳細に説明する。しかし、これは、本発明の特定の開示形態に対して限定するものではなく、本発明の思想及び技術範囲に含まれる全ての変更、均等物乃至代替物を含むことと理解すべきである。各図面を説明しながら類似の参照符号を構成要素に付与した。
【００２６】
第１、第２などの用語は、多様な構成要素を説明するのに用いることができるが、前記構成要素は前記用語によって限定されてはいけない。前記用語は、一つの構成要素を他の構成要素から区別する目的としてのみ用いられる。例えば、本発明の権利範囲から離脱しないまま、第１構成要素は第２構成要素として命名することができ、類似に第２構成要素も第１構成要素として命名することができる。
【００２７】
いずれかの構成要素が他の構成要素に「連結」されているとか「接続」していると言及したときには、その他の構成要素に直接的に連結されているかまたは接続されていることもあるが、中間に他の構成要素が存在することもあると理解すべきである。反面、いずれかの構成要素が他の構成要素に「直接連結」されているか「直接接続」されていると言及されたときには、中間に他の構成要素が存在しないことと理解すべきである。構成要素間の関係を説明する他の表現、即ち、「〜間に」と「すぐ〜間に」または「〜に隣る」と「〜に直接隣る」なども同様に解釈すべきである。
【００２８】
本出願で用いた用語は、ただ特定の実施例を説明するために盛り込まれるものであって、本発明を限定しようとする意図ではない。単数の表現は、文脈上明確に異なるように意味しない限り、複数の表現を含む。本出願において、「含む」または「有する」などの用語は、説示した特徴、数字、段階、動作、構成要素、部分品またはこれらを組み合わせたものの存在または付加可能性を予め排除しないことと理解すべきである。
【００２９】
異なるものとして定義しない限り、技術的であるか科学的な用語を含めてここで用いられる全ての用語は、本発明が属する技術分野において通常の知識を有する者によって一般的に理解されるものと同一の意味を有している。一般的に用いられる辞典に定義されているもののような用語は、関連技術の文脈上で有する意味と一致する意味を有することと解釈すべきであり、本出願で明白に定義されない限り、異常的であるか過度に形式的な意味で解釈されない。
【００３０】
図１は、本発明の一実施例によるディスプレイ装置を示すブロックである。
【００３１】
図１を参照すると、ディスプレイ装置１００は、タイミングコントローラー１１０、データドライバー１２０、スキャンドライバー１３０、及びディスプレイパネル１４０を含む。
【００３２】
例えば、ディスプレイ装置１００は、ＬＣＤ装置、ＯＬＥＤ装置、ＰＤＰ装置を含む平面表示装置に相応することができる。
【００３３】
一般的な平面表示装置のように、タイミングコントローラー１１０は、データドライバー１２０にデータを伝送し、スキャンドライバー１３０にスキャンデータを伝送し、ディスプレイパネル１４０はデータドライバー１２０とスキャンドライバー１３０によって動作する。
【００３４】
タイミングコントローラー１１０がデータドライバー１２０に電気的信号を伝送する時、ディスプレイ装置１００は、タイミングコントローラー１１０とデータドライバー１２０との間の距離差異によって発生されることができる電気的信号の歪曲及び／又は電力消耗を減少させることができるようにタイミングコントローラー１１０とデータドライバー１２０との間の動作を制御する。
【００３５】
以下、図面を参照してタイミングコントローラー１１０とデータドライバー１２０との間の動作方法を説明する。
【００３６】
図２乃至図４は、図１のタイミングコントローラーとデータドライバーとの間の連結構造を説明するための図である。
【００３７】
図２の場合、タイミングコントローラー１１０は、データドライバー（１２０ａ〜１２０ｈ）のそれぞれと独立的に連結されており、図３の場合、タイミングコントローラー１１０は、データドライバー（１２０ａ〜１２０ｄ）とデータドライバー（１２０ｅ〜１２０ｈ）と独立的に連結されている。図４の場合、タイミングコントローラー１１０は、データドライバー（１２０ａ〜１２０ｈ）の全てと連結されている。
【００３８】
タイミングコントローラー１１０は、データドライバー（１２０ａ〜１２０ｈ）と１：Ｎ（Ｎは、自然数）連結構造を有することができる。例えば、図２は１：８連結構造を示し、図３は１：２連結構造を示し、図４は１：１連結構造を示す。
【００３９】
一方、図２乃至図４で説明された、タイミングコントローラー１１０とデータドライバー（１２０ａ〜１２０ｈ）との間の物理的構造によって、たとえ必須的ではなくても、タイミングコントローラー１１０がデータドライバー（１２０ａ〜１２０ｈ）のそれぞれに電気的信号を伝送する方法が変わることができる。
【００４０】
図２又は図３の方式が採用された場合には、タイミングコントローラー１１０は、電気的信号をデータドライバー（１２０ａ〜１２０ｈ）の少なくとも一部に同時に伝送することができるか、順次に伝送することができる。図４の方式が採用された場合には、タイミングコントローラー１１０は電気的信号をデータドライバー（１２０ａ〜１２０ｈ）のそれぞれに順次に伝送することができる。
【００４１】
図５は、図１のタイミングコントローラーの一実施例を説明するためのブロック図である。
【００４２】
図５を参照すると、タイミングコントローラー１１０は、タイミングコントロール部５１０及びデータ伝送部５２０を含む。
【００４３】
一般的な平面表示装置に含まれたタイミングコントローラーのように、タイミングコントロール部５１０はディスプレイ装置１４０に画面を表示するためにデータドライバー１２０とスキャンドライバー１３０を制御する。
【００４４】
データ伝送部５２０は、データドライバー１２０にデータを伝送する。データ伝送部５２０は、タイミングコントロール部５１０がデータドライバー１２０にデータを伝送する時、データドライバー１２０とデータ伝送部５２０との間の距離差異に基づいてデータに相応する電気的信号を制御して、制御された電気的信号を伝送する。
【００４５】
より具体的に、タイミングコントロール部５１０は、データとデータに相応するドライバーアドレスをデータ伝送部５２０に伝送する。ドライバーアドレスは、データ伝送部５２０内の回路を単純化させるために使用され、データドライバー（１２０ａ〜１２０ｈ）を識別するために使用される。データ伝送部５２０は、ドライバーアドレスに基づいてデータドライバー１２０とデータ伝送部５２０との間の距離差異を認識する。
【００４６】
以下、図６乃至図７を参照して、データ伝送部５２０が電気的信号を制御する過程を説明する。
【００４７】
図６は、データ伝送部を説明するためのブロック図である。
【００４８】
図６を参照すると、データ伝送部５２０は、ＦＩＲ（Ｆｉｎｉｔｅ  Ｉｍｐｕｌｓｅ  Ｒｅｓｐｏｎｓｅ）フィルター６１０、ミキサー６２０、及び合成器６３０を含み、データ伝送部５２０は、データドライバー１２０とデータ伝送部５２０との間の距離差異に基づいて電気的信号に対してプリエンファシスを行う。
【００４９】
ＦＩＲフィルター６１０は、現在の電気的信号ＳＩＧ１と以前の電気的信号ＳＩＧ２に依存的なデジタルフィルターに相応し、現在の電気的信号ＳＩＧ１と以前の電気的信号ＳＩＧ２とを比較する。仮に、現在の電気的信号ＳＩＧ１と以前の電気的信号ＳＩＧ２が同じレベルであれば、ＦＩＲフィルター６１０は、正常レベル（ｎｏｒｍａｌ  ｌｅｖｅｌ）に電気的信号ＳＩＧ３を出力し、仮に、現在の電気的信号ＳＩＧ１と以前の電気的信号ＳＩＧ２が異なるレベルであれば、ＦＩＲフィルター６１０はより高い大きさ（ｍａｇｎｉｔｕｄｅ）に電気的信号ＳＩＧ３を出力する。
【００５０】
ミキサー６２０は大きさの程度を決定し、大きさの程度はタイミングコントロール部５１０から伝送されるドライバーアドレスＡＤＤＲによって決定される。合成器６３０は、現在の電気的信号ＳＩＧとミキサー６２０によって決定された大きさを合成する。
【００５１】
図７は、図６のデータ伝送部による出力信号を説明するための図である。
【００５２】
図７において、第１部分７１０は、データ伝送部５２０による電気的信号のプリエンファシス結果を示し、第２部分７２０は、タイミングコントロール部５１０による電気的信号の正常レベルを示す。
【００５３】
第１部分７１０の大きさは、ドライバーアドレスに基づいて決定される。一実施例によって、電気的信号のピーク−ピーク電圧ＶＰＰは、データ伝送部５２０とデータドライバー１２０との間の距離差異が増加するに従って増加することができる。
【００５４】
例えば、第１データドライバー１２０ａと第２データドライバー１２０ｂの場合には、第１部分７１０が第２部分７２０の１２５％に相応することができ、第３データドライバー１２０ｃの場合には、第１部分７１０が第２部分７２０の１１０％に相応することができ、第４データドライバー１２０ｄの場合には、第１部分７１０が第２部分７２０の１０５％に相応することができる。
【００５５】
図８は、図１のタイミングコントローラーの他の一実施例を説明するためのブロック図である。
【００５６】
図８を参照すると、タイミングコントローラー１１０は、タイミングコントロール部８１０及びデータ伝送部８２０を含む。
【００５７】
データ伝送部８２０は、データドライバー（１２０ａ〜１２０ｈ）のそれぞれに相応して、データ伝送部８２０とデータドライバー１２０との間の距離差異が予め設定されたプリエンファシス部（８２０ａ〜８２０ｈ）を含む。又、タイミングコントロール部８１０は、プリエンファシス部（８２０ａ〜８２０ｈ）のそれぞれにデータを伝送する。
【００５８】
図８に図示されたタイミングコントローラーは、ドライバーアドレスを使用しないという点を除いては、図５に図示されたタイミングコントローラーと実質的に同じなので、より詳細な説明は省略する。
【００５９】
図５に図示されたタイミングコントローラーと図８に図示されたタイミングコントローラーとを比較すると、図５に図示されたタイミングコントローラーはハードウェアを単純化させることができ、図８に図示されたタイミングコントローラーは処理速度を増加させることができる。
【００６０】
図９は、図１のデータドライバーを説明するためのブロック図である。
【００６１】
図９を参照すると、データドライバー１２０は、等化部９１０とデータドライバー部９２０とを含む。
【００６２】
図９に図示されたデータドライバー１２０は、図５又は図８に図示されたタイミングコントローラー１１０と独立的に使用されることができるか、又は、図５又は図８に図示されたタイミングコントローラー１１０と組合されることができる。
【００６３】
等化部９１０は、タイミングコントローラー１１０又はデータ伝送部（５２０又は８２０）とデータドライバー１２０との間の距離差異に基づいて予め設定される等化係数を利用して電気的信号に対して等化を行う。
【００６４】
即ち、図９に図示されたデータドライバー１２０が図５又は図８に図示されたタイミングコントローラー１１０と独立的に使用される場合には、等化部９１０はタイミングコントローラー１１０とデータドライバー１２０との間の距離差異に基づいて等化を行うことができ、図９に図示されたデータドライバー１２０が図５又は図８に図示されたタイミングコントローラー１１０と組合される場合には、等化部９１０は、データ伝送部（５２０又は８２０）とデータドライバー１２０との間の距離差異に基づいて等化を行うことができる。
【００６５】
データドライバー部９２０は、一般的な平面表示装置に含まれたデータドライバーと実質的に同じ演算を行う。即ち、データドライバー部９２０はディスプレイパネル１４０にデータを提供する。
【００６６】
図１０は、図９の等化部を説明するための図である。
【００６７】
図１０を参照すると、等化部９１０は、遅延部１０１０、等化係数部１０２０、及び合算部１０３０を含む。
【００６８】
遅延部１０１０は、Ｔ−秒タップ（Ｔ−Ｓｅｃｏｎｄ  Ｔａｂ）で具現されることができ、等化部９１０に入力された信号を遅延させる機能を行う。等化係数部１０２０は、等化係数を予め設定して等化係数に基づいてＴ−秒タップによって出力された信号を増幅させることができる。合算部１０３０は、等化係数部１０２０によって増幅された信号を合算する。
【００６９】
等化係数は、タイミングコントローラー１１０又はデータ伝送部（５２０又は８２０）とデータドライバー１２０との間の距離差異に基づいて設定されることができ、この分野に属する通常の知識を有する者は、過度な実験なしに適切な等化係数を得ることができる。
【００７０】
結果的に、等化部９１０は、予め設定される等化係数に基づいて等化を行って信号の歪曲及び／又は電力消耗を減少させることができる。
【００７１】
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【００７２】
前述した実施例は、下記の長所を含む効果を有することができる。但し、全ての実施例がこれを全部含むべきであるか、特定実施例が下記の長所だけを含むべきであるという意味ではないので、権利範囲はこれによって制限されると理解されてはいけない。
【００７３】
本発明の一実施例は、タイミングコントローラーがデータドライバーのそれぞれにデータを伝送する時、タイミングコントローラーとデータドライバーのそれぞれ間の距離差異によって発生されることができる信号の歪曲及び／又は電力消耗を減少させることができる。
【図面の簡単な説明】
【００７４】
【図１】本発明の一実施例によるディスプレイ装置を示すブロック図である。
【図２】図１のタイミングコントローラーとデータドライバーとの間の連結構造を説明するための図である。
【図３】図１のタイミングコントローラーとデータドライバーとの間の連結構造を説明するための図である。
【図４】図１のタイミングコントローラーとデータドライバーとの間の連結構造を説明するための図である。
【図５】図１のタイミングコントローラーの一実施例を説明するためのブロック図である。
【図６】データ伝送部を説明するためのブロック図である。
【図７】図６のデータ伝送部による出力信号を説明するための図である。
【図８】図１のタイミングコントローラーの他の一実施例を説明するためのブロック図である。
【図９】図１のデータドライバーを説明するためのブロック図である。
【図１０】図９の等化部を説明するための図である。
【符号の説明】
【００７５】
１００    ディスプレイ装置
１１０    タイミングコントローラー
１２０    データドライバー
１３０    スキャンドライバー
１４０    ディスプレイパネル
５１０    タイミングコントロール部
５２０    データ伝送部
６１０    ＦＩＲフィルター
６２０    ミキサー
６３０    合成器
【図１】
0004960943.tif 000002
【図２】
0004960943.tif 000003
【図３】
0004960943.tif 000004
【図４】
0004960943.tif 000005
【図５】
0004960943.tif 000006
【図６】
0004960943.tif 000007
【図７】
0004960943.tif 000008
【図８】
0004960943.tif 000009
【図９】
0004960943.tif 000010
【図１０】
0004960943.tif 000011